(57)【要約】【課題】  紹介者に同行した新規顧客に対し、時間や手間をかけることなくＩＣチケットを提供できるＩＣチケット綴りと、ＩＣチケットシステムを提供する。【解決手段】  基材上に、アンテナコイルと、該アンテナコイルに電気的に接続されたＩＣチップとが複数設けられ、前記１つのＲＦ回路を除く他のＲＦ回路に、切断された場合に通信可能となる短絡線を有するアンテナコイルが設けられ、前記短絡線が設けられた基材に、前記短絡線を切断可能な部分に切り取り用ミシン目が形成され、前記切り取り用ミシン目から切断することで、１枚毎のＩＣチケットとして使用可能な、複数のＩＣチケットが切り取り可能に連接されたＩＣチケット綴りと、前記識別情報を読み取る手段と、前記読み取った識別情報を、前記切り取り用ミシン目から切断することで通信可能となったＩＣチケットのＩＣチップに書き込む手段とを有するリーダライタからなる。【選択図】        図１
2009146320.tif 000002
【特許請求の範囲】
【請求項１】
複数のＩＣチケットが切り取り可能に連接されたＩＣチケット綴りであって、
前記ＩＣチケット綴りは、基材上に、アンテナコイルと、該アンテナコイルに電気的に接続されたＩＣチップとからなる非接触可能なＲＦ回路が複数設けられ、
前記複数設けられたＲＦ回路のうち、１つのＲＦ回路を除く他のＲＦ回路に、切断された場合に通信可能となる短絡線を有するアンテナコイルが設けられていることを特徴とするＩＣチケット綴り。
【請求項２】
前記短絡線が設けられた基材には、前記短絡線を切断可能な部分に切り取り用ミシン目が形成されていることを特徴とする請求項１記載のＩＣチケット綴り。
【請求項３】
前記ＲＦ回路のうち、短絡線を有していないアンテナコイルは、前記短絡線の切断の有無に関係なく通信可能であることを特徴とする請求項１記載のＩＣチケット綴り。
【請求項４】
基材上に、アンテナコイルと、該アンテナコイルに電気的に接続されたＩＣチップとからなる非接触可能なＲＦ回路が複数設けられ、前記複数設けられたＲＦ回路のうち、１つのＲＦ回路を除く他のＲＦ回路に、切断された場合に通信可能となる短絡線を有するアンテナコイルが設けられ、前記短絡線が設けられた基材に、前記短絡線を切断可能な部分に切り取り用ミシン目が形成され、前記切り取り用ミシン目から切断することで、１枚毎のＩＣチケットとして使用可能な、複数のＩＣチケットが切り取り可能に連接されたＩＣチケット綴りと、
前記アンテナコイルと通信可能なリーダライタと、
からなるＩＣチケットシステムであって、
前記ＩＣチケット綴りに綴られたＩＣチケットのうち、短絡線を有していないアンテナコイルが設けられたＩＣチケットのＩＣチップには、予め識別情報が記憶され、
前記リーダライタは、前記識別情報を読み取る手段と、前記読み取った識別情報を、前記切り取り用ミシン目から切断することで通信可能となったＩＣチケットのＩＣチップに書き込む手段とを有していることを特徴とするＩＣチケットシステム。
【請求項５】
基材上に、アンテナコイルと、該アンテナコイルに電気的に接続されたＩＣチップとからなる非接触可能なＲＦ回路が複数設けられ、前記複数設けられたＲＦ回路のうち、１つのＲＦ回路を除く他のＲＦ回路に、切断された場合に通信可能となる短絡線を有するアンテナコイルが設けられ、前記短絡線が設けられた基材に、前記短絡線を切断可能な部分に切り取り用ミシン目が形成され、前記切り取り用ミシン目から切断することで、１枚毎のＩＣチケットとして使用可能な、複数のＩＣチケットが切り取り可能に連接されたＩＣチケット綴りと、
前記アンテナコイルと通信可能なリーダライタと、
からなるＩＣチケットシステムであって、
前記リーダライタは、前記ＩＣチケット綴りに綴られたＩＣチケットのうち、短絡線を有していないアンテナコイルが設けられたＩＣチケットのＩＣチップから読み取った情報と、前記切り取り用ミシン目から切断することで通信可能となったＩＣチケットのＩＣチップから読み取った情報とを関係付けて記憶する手段を有することを特徴とするＩＣチケットシステム。
【発明の詳細な説明】
【技術分野】
【０００１】
本発明は、遊園地、テーマパーク、博覧会等の会場に入場する際に使用したり、また小売店などが顧客への種々の特典を提供する際に使用するＩＣチケットが、切り取り可能に複数連接されたＩＣチケット綴りと、そのＩＣチケット綴りを使用したＩＣチケットシステムに関する。
【背景技術】
【０００２】
従来、遊園地、テーマパーク、博覧会等の会場に入場する際の使用や、また小売店などが顧客への種々の特典を提供する際の使用をするためのチケットとして、ＩＣチップが内蔵された構成を有するＩＣチケットが知られている。
これらのＩＣチケットは、例えば、基材上に、アンテナコイルと、該アンテナコイルに電気的に接続されたＩＣチップとからなるＲＦ回路が設けられ、予めＩＣチップのメモリに入場許可情報や特典情報や会員情報などを記憶させておき、入場時にリーダでその入場許可情報の読み取りを行うことで、照合処理を行い、照合一致した場合に入場ゲートを開いて利用者が入場できるようにして入場管理したり、また店舗に設置されたリーダで、ＩＣチケットから特典情報や会員情報などを読み取ることで、顧客サービス管理を行なうなどしている。
ＩＣチケット及びシステムに関しては、既に種々の出願がある。（例えば、特許文献１〜４、参照）
【０００３】
【特許文献１】特開２００２−２４５３８０号公報
【特許文献２】特開２００３−３４６１９６号公報
【特許文献３】特開２００４−３２６６５３号公報
【特許文献４】特開２００５−２８４５１５号公報
【０００４】
また、小売業、イベント、アミューズメントなどにおいて、新規の顧客を開拓することを目的として、既存の顧客が知人、友人や親戚などの新規顧客を連れてきてくれた場合に、その新規顧客を連れてきた紹介行為への代償として、紹介者に種々の特典の提供を行うなどの規顧客開拓キャンペーンを展開することが行われている。
このような規顧客開拓キャンペーンでは、様々な方法で紹介者に対するサービスや、紹介された新規顧客へのサービスが行われている。
【０００５】
しかしながら、従来のＩＣチケットは、１枚毎に個別となっているので、紹介者が同行した新規顧客に対して、新たにＩＣチケットの発行を行なうために時間や手間がかかり、新規顧客が、既にＩＣチケットを所持している紹介者と共に、直ぐに入場できないという問題がある。
また、紹介者と、その紹介者に同行した新規顧客との関係について、紹介者が所持するＩＣチケットや、紹介された新規顧客が所持するＩＣチケットに、それらの関係の情報を登録しにくいといった問題がある。
つまり、顧客が所持するＩＣチケットに記憶された情報に基づいて、その顧客が紹介者の立場であるのか、または、紹介された新規顧客の立場であるのかといった判定や、それらの立場に応じた特典の授受を受けるための判定を行なう場合でも、従来のＩＣチケットでは管理がしにくいといった問題がある。
【発明の開示】
【発明が解決しようとする課題】
【０００６】
そこで、本発明は、既存顧客が知人、友人や親戚などの新規顧客と同行して連れてきてくれた場合に、紹介者に同行した新規顧客に対して、時間や手間をかけることなくＩＣチケットを提供できるようにすると共に、顧客が所持するＩＣチケットに記憶された情報で、その顧客が紹介者の立場であるのか、または、その顧客が紹介された新規顧客の立場であるのかといった管理を行えるように構成したＩＣチケット綴りと、顧客の立場に応じた情報をＩＣチケットに記憶させることができるＩＣチケットシステムを提供する。
【課題を解決するための手段】
【０００７】
本発明のＩＣチケット綴りは、複数のＩＣチケットが切り取り可能に連接されたＩＣチケット綴りであって、前記ＩＣチケット綴りは、基材上に、アンテナコイルと、該アンテナコイルに電気的に接続されたＩＣチップとからなる非接触可能なＲＦ回路が複数設けられ、前記複数設けられたＲＦ回路のうち、１つのＲＦ回路を除く他のＲＦ回路に、切断された場合に通信可能となる短絡線を有するアンテナコイルが設けられていることを特徴とする。
【０００８】
また、本発明のＩＣチケット綴りは、前記短絡線が設けられた基材には、前記短絡線を切断可能な部分に切り取り用ミシン目が形成されていることを特徴とする。
【０００９】
更に、本発明のＩＣチケット綴りは、前記ＲＦ回路のうち、短絡線を有していないアンテナコイルは、前記短絡線の切断の有無に関係なく通信可能であることを特徴とする。
【００１０】
また、本発明のＩＣチケットシステムは、基材上に、アンテナコイルと、該アンテナコイルに電気的に接続されたＩＣチップとからなる非接触可能なＲＦ回路が複数設けられ、前記複数設けられたＲＦ回路のうち、１つのＲＦ回路を除く他のＲＦ回路に、切断された場合に通信可能となる短絡線を有するアンテナコイルが設けられ、前記短絡線が設けられた基材に、前記短絡線を切断可能な部分に切り取り用ミシン目が形成され、前記切り取り用ミシン目から切断することで、１枚毎のＩＣチケットとして使用可能な、複数のＩＣチケットが切り取り可能に連接されたＩＣチケット綴りと、前記アンテナコイルと通信可能なリーダライタと、からなるＩＣチケットシステムであって、前記ＩＣチケット綴りに綴られたＩＣチケットのうち、短絡線を有していないアンテナコイルが設けられたＩＣチケットのＩＣチップには、予め識別情報が記憶され、前記リーダライタは、前記識別情報を読み取る手段と、前記読み取った識別情報を、前記切り取り用ミシン目から切断することで通信可能となったＩＣチケットのＩＣチップに書き込む手段とを有していることを特徴とする。
【００１１】
更に、本発明のＩＣチケットシステムは、基材上に、アンテナコイルと、該アンテナコイルに電気的に接続されたＩＣチップとからなる非接触可能なＲＦ回路が複数設けられ、前記複数設けられたＲＦ回路のうち、１つのＲＦ回路を除く他のＲＦ回路に、切断された場合に通信可能となる短絡線を有するアンテナコイルが設けられ、前記短絡線が設けられた基材に、前記短絡線を切断可能な部分に切り取り用ミシン目が形成され、前記切り取り用ミシン目から切断することで、１枚毎のＩＣチケットとして使用可能な、複数のＩＣチケットが切り取り可能に連接されたＩＣチケット綴りと、前記アンテナコイルと通信可能なリーダライタと、からなるＩＣチケットシステムであって、前記リーダライタは、前記ＩＣチケット綴りに綴られたＩＣチケットのうち、短絡線を有していないアンテナコイルが設けられたＩＣチケットのＩＣチップから読み取った情報と、前記切り取り用ミシン目から切断することで通信可能となったＩＣチケットのＩＣチップから読み取った情報とを関係付けて記憶する手段を有することを特徴とする。
【発明の効果】
【００１２】
本発明のＩＣチケット綴りは、ＩＣチケット綴りに連接されているＩＣチケットを切り離すことで、切り離したＩＣチケットを新規顧客用のＩＣチケットとして使用可能となる構成を有しているので、既存顧客である紹介者が、知人、友人や親戚などの新規顧客を連れてきた際に、時間や手間をかけることなく簡単に新規顧客用のＩＣチケットの発行を行うことができ効率的である。
【００１３】
また、本発明のＩＣチケットシステムは、リーダライタで、短絡線を有していないアンテナコイルが設けられたＩＣチケットのＩＣチップから識別情報を読み取り、切り取り用ミシン目から切断することで通信可能となったＩＣチケットのＩＣチップにその識別情報の書き込みを行なうので、切り取り用ミシン目から切断されたＩＣチケットを所持する顧客が、新規顧客の立場であり、予め識別情報がＩＣチップに記憶されたＩＣチケットを所持する顧客が、既存顧客の立場であることが簡単に確認できるという効果がある。
【００１４】
また、本発明のＩＣチケットシステムは、リーダライタで、短絡線を有していないアンテナコイルが設けられたＩＣチケットのＩＣチップから読み取った情報と、前記切り取り用ミシン目から切断することで通信可能となったＩＣチケットのＩＣチップから読み取った情報とを関係付けて記憶することができるので、既存顧客と、その既存顧客が紹介した新規顧客との関係を、関係付けて登録することができる。
【発明を実施するための最良の形態】
【００１５】
以下、本発明の実施形態に係るＩＣチケット綴り及びＩＣチケットシステムを、図面に基づいて詳細に説明する。
図１は、本発明の実施形態に係るＩＣチケット綴りの平面図、図２は、本発明の実施形態に係るＩＣチケット綴りを、切り取り用ミシン目から切断した状態を示す平面図、図３は、図１のＡ−Ａ線断面図である。
本発明の実施形態に係るＩＣチケット綴り１は、複数のＩＣチケットが切り取り可能に連接されており、図１には、横方向に２枚のＩＣチケット１ａ，１ｂが切り取り用ミシン目２を介して連接された構成が示されている。
各々のＩＣチケット１ａ，１ｂは、同一基材シート６上に、それぞれアンテナコイル３ａ，３ｂと、該アンテナコイル３ａ，３ｂに電気的に接続された各々のＩＣチップ４ａ，４ｂとからなるＲＦ回路を有している。
【００１６】
そして、一方のＩＣチケット１ｂには、切り取り用ミシン目２を跨ぐ状態で、アンテナコイル３ｂの一部に短絡線５が設けられている。
この短絡線５を有するアンテナコイル３ｂは、切り取り用ミシン目２からアンテナコイル３ｂの短絡線５が切断された場合において、アンテナコイル３ｂによりリーダライタとの間で通信が可能な状態となるように設けられている。
【００１７】
図１に示すように、２枚のＩＣチケット１ａ，１ｂが連接状態にある場合には、短絡線５が設けられていないアンテナコイル３ａを有しているＩＣチケット１ａだけが、アンテナコイル３ａによりリーダライタとの間で通信可能で、もう一方の短絡線５が設けられているアンテナコイル３ｂを有しているＩＣチケット１ｂは、アンテナコイル３ｂによりリーダライタとの間で通信ができない状態となっている。
つまり、短絡線５が設けられていることで、共振周波数が変動してＩＣチップに記憶された情報の読み取りや、情報の書き込みが行えない状態になる。
また、ＲＦ回路のうち、短絡線を有していないアンテナコイルは、短絡線の切断の有無に関係なく通信可能となっている。
【００１８】
図２には、ＩＣチケット綴り１が、切り取り用ミシン目２から切断された状態が示されている。
このように切り取り用ミシン目２から切断されると、アンテナコイル３ｂの一部に設けられた短絡線５が切断されることで、アンテナコイル３ｂが通信可能な状態となり、リーダライタによるＩＣチップ４ｂからの読み取り処理やＩＣチップ４ｂへの書き込み処理を行えるようになる。
【００１９】
ＩＣチケット綴り１は、図３に示すように、少なくとも、同一基材シート６上に、それぞれアンテナコイル３ａ，３ｂと、該アンテナコイル３ａ，３ｂに電気的に接続された各々のＩＣチップ４ａ，４ｂとからなるＲＦ回路を有することで機能するが、表裏面に所望の表示を印刷するために、図４及び図５に示すように、基材シート６の上面側及び下面側にそれぞれ保護シート７，８を接着剤９，１０により接着させた構成としておくことが好ましい。
図４には、保護シートを接着させた状態のＩＣチケット綴り１の平面図が示され、図５には、図４のＢ−Ｂ線断面図が示されている。
【００２０】
また、ＩＣチケット綴り１は、図６に示すように、切り取り用ミシン目２を介して、２枚以上であればＩＣチケットを何枚でも連接した構成とすることができる。
図６には、４枚のＩＣチケット１ａ〜１ｄを、切り取り用ミシン目２を介して連接したＩＣチケット綴り１の構成が示されているが、各々の切り取り用ミシン目２から切り取らない状態では、４枚のＩＣチケットのうち、短絡線５を有していないアンテナコイル３ａが設けられたＩＣチケット１ａの１枚だけが、リーダライタとの間で通信可能となり、他の３枚のＩＣチケット１ｂ〜１ｄは、それぞれアンテナコイルに短絡線５があるためにリーダライタとの間で通信できない状態となっている。
【００２１】
上記のように、本発明のＩＣチケット綴り１は、切り取り用ミシン目２から切り離さないと通信できない短絡線５を有するアンテナコイルが設けられたＩＣチケットと、いつでも通信可能なアンテナコイルが設けられた１枚のＩＣチケットとが連接されているので、ＩＣチケット綴り１の所持者が、切り取り用ミシン目２を介して連接されたＩＣチケットについて使用管理を行うことができるようになっている。
【００２２】
次に、本発明のＩＣチケットシステムについて、図面に基づいて説明する。
図７には、本発明のＩＣチケットシステムに関して、ＩＣチケットを使用して入場する入場ゲートが設置された会場の入り口付近の状況が示されており、また、図８（ａ）〜（ｅ）には、本発明のＩＣチケットシステムにより、ＩＣチケットを使用する場合の手順が示されている。
図７に示すように、入場ゲート１１が設置された会場１２の入り口付近には、ＩＣチケット綴り１に綴られたＩＣチケット用のリーダライタ１３が備えられている。
このＩＣチケット用のリーダライタ１３は、ＩＣチケット綴り１に綴られたＩＣチケットのうち、短絡線を有していないアンテナコイルが設けられたＩＣチケット１ａのＩＣチップに予め記憶されている識別情報の読み取りを行なう識別情報読取手段と、この識別情報読取手段で読み取った識別情報を、ＩＣチケット綴り１に形成された切り取り用ミシン目から切断することで通信可能となったＩＣチケットのＩＣチップに書き込む識別情報書込手段とを有している。
【００２３】
図７及び図８に基づいて、本発明のＩＣチケットシステムを使用した場合の処理手順について説明する。
まず、図８（ａ）に示すように、初期の段階では、既存顧客１４が、ＩＣチケット綴り１を切り取り用ミシン目２から切断されない状態のままでチケット保持者として所持している。
そして、図７に示すように、既存顧客１４が、知人、友人や親戚などの新規顧客１５と同行して連れてきた場合には、入場ゲート１１が設置された会場１２の入り口に控えているチケット発行・運用者の係員１６に対して、新規顧客１５をつれてきたことを知らせ、図８（ｂ）に示すように、ＩＣチケット綴り１を係員１６に提示する。
【００２４】
図８（ｃ）に示すように、係員１６は、既存顧客１４が新規顧客１５と同行したことを確認した後、既存顧客１４が所持しているＩＣチケット綴り１を受け取って、これをリーダライタ１３に近づけて、ＩＣチケット綴り１のＩＣチケット１ａのＩＣチップに記憶されている識別情報を読み取らせる。
次に、その係員１６は、図８（d）に示すように、ＩＣチケット綴り１を切り取り用ミシン目から切断して、ＩＣチケット１ｂのアンテナコイル３ｂの短絡線５を切断させて、アンテナコイル３ｂを通信可能な状態にする。
【００２５】
更に、係員１６は、図８（e）に示すように、通信可能になったＩＣチケット１ｂをリーダライタ１３に近づけて、ＩＣチケット綴り１のＩＣチケット１ａのＩＣチップから読み取った識別情報を、ＩＣチケット１ｂのＩＣチップに書き込んで記憶させる。
そして、それらの処理が終了した後に、新規顧客１５にＩＣチケット１ａを渡し、更に、既存顧客１４にＩＣチケット１ｂを渡す。
ＩＣチケットを受け取った既存顧客１４と新規顧客１５とは、図７に示すように、各々が所持するＩＣチケット１ａ，１ｂを、会場１２の入り口に備えられている入場ゲート１１に近づけて、識別情報を読み取らせることでゲート１１ａを開かせて入場することができる。
【００２６】
また、リーダライタには、ＩＣチケット綴りに綴られたＩＣチケットのうち、短絡線を有していないアンテナコイルが設けられたＩＣチケットのＩＣチップから読み取った情報と、前記切り取り用ミシン目から切断することで通信可能となったＩＣチケットのＩＣチップから読み取った情報とを関係付けて記憶する手段を有するようにしてもよい。
この場合には、ＩＣチケット綴り１に綴られている全てのＩＣチケット１ａ，１ｂのＩＣチップのメモリに、異なる識別情報を予め記憶させておく。
【００２７】
そして、図８（ｃ）に示すように、係員１６は、既存顧客１４が新規顧客１５と同行したことを確認した後、既存顧客１４が所持しているＩＣチケット綴り１を受け取って、これをリーダライタ１３に近づけて、ＩＣチケット綴り１のＩＣチケット１ａのＩＣチップに記憶されている識別情報を読み取らせ、更に、図８（d）に示すように、ＩＣチケット綴り１を切り取り用ミシン目から切断して、ＩＣチケット１ｂのアンテナコイル３ｂの短絡線５を切断させ、アンテナコイル３ｂを通信可能な状態にしてから、図８（e）に示すように、通信可能になったＩＣチケット１ｂをリーダライタ１３に近づけて、ＩＣチケット１ｂのＩＣチップに記憶されている識別情報を読み取り、既に読み取ったＩＣチケット１ａの識別情報と、ＩＣチケット１ｂの識別情報とを関係付けて記憶させる。
【００２８】
このように、ＩＣチケット１ａの識別情報と、ＩＣチケット１ｂの識別情報とを関係付けて記憶させることで、既存顧客１４と新規顧客１５との関係が確認できるようになっている。
【図面の簡単な説明】
【００２９】
【図１】本発明の実施形態に係るＩＣチケット綴りの平面図である。
【図２】本発明の実施形態に係るＩＣチケット綴りを、切り取り用ミシン目から切断した状態を示す平面図である。
【図３】図１のＡ−Ａ線断面図である。
【図４】保護シートを接着させた状態のＩＣチケット綴りの平面図である。
【図５】図４のＢ−Ｂ線断面図である。
【図６】本発明の他の実施形態に係るＩＣチケット綴りの平面図である。
【図７】本発明のＩＣチケットシステムに関して、ＩＣチケットを使用して入場する入場ゲートが設置された会場の入り口付近の状況を示す図である。
【図８】本発明のＩＣチケットシステムに関して、ＩＣチケットを使用する場合の手順を示す図である。
【符号の説明】
【００３０】
１  ＩＣチケット綴り
１ａ，１ｂ  ＩＣチケット
２  切り取り用ミシン目
３ａ，３ｂ  アンテナコイル
４ａ，４ｂ  ＩＣチップ
５  短絡線
６  基材シート
７，８  保護シート
９，１０  接着剤
１１  入場ゲート
１２  会場
１３  リーダライタ
１４  既存顧客
１５  新規顧客
１６  係員
【図１】
2009146320.tif 000003
【図２】
2009146320.tif 000004
【図３】
2009146320.tif 000005
【図４】
2009146320.tif 000006
【図５】
2009146320.tif 000007
【図６】
2009146320.tif 000008
【図７】
2009146320.tif 000009
【図８】
2009146320.tif 000010